(57)【特許請求の範囲】
【請求項１】
ネットワーク機器に適用される隣接セルを配置する方法であって、
隣接セル情報を特定し、
端末に前記隣接セル情報を送信し、
前記隣接セル情報は、存在する高度レベルまたは高度区間に対応する隣接セルを特定するように前記端末に指示するためのものであり、
前記方法では、前記の隣接セル情報を特定することの前に、ネットワーク制御装置によって送信された隣接セル配置情報を受信することをさらに含み、前記隣接セル配置情報は、前記ネットワーク機器が異なる高度レベルまたは高度区間での対応する隣接セルを含み、
前記の隣接セル情報を特定することは、前記隣接セル配置情報によって前記隣接セル情報を特定することを含む
ことを特徴とする隣接セルを配置する方法。
【請求項２】
前記の端末に前記隣接セル情報を送信することは、
アイドル状態にある前記端末が、存在する高度レベルまたは高度区間に対応する隣接セルを特定し、且つセル選択および／またはセル再選択を行うように、同報通信方式によって前記隣接セル情報を送信すること、及び／又は
専用シグナリングによって、前記端末が存在する高度レベルまたは高度区間に対応する被測定セル識別子を含む測定配置情報を含む前記隣接セル情報を、接続状態にある前記端末に送信することによって、接続状態にある前記端末が前記被測定セル識別子によって移動度測定を行い、且つセル切替えを行うこと、を含む
ことを特徴とする請求項１に記載の方法。
【請求項３】
前記隣接セル配置情報は、シーケンス形式で特徴付けられ、
シーケンスにおける各要素は、異なる高度レベルまたは高度区間に対応する
ことを特徴とする請求項１に記載の方法。
【請求項４】
前記端末がアイドル状態にある端末であると、前記隣接セル情報は、対応する隣接セル情報を読み取るように前記端末に指示するための隣接セル情報選択閾値をも含む
ことを特徴とする請求項１に記載の方法。
【請求項５】
前記端末が接続状態にある端末であると、前記方法では、前記の前記隣接セル配置情報によって前記隣接セル情報を特定することの前に、
前記端末によって報告された、少なくとも前記端末の存在位置に対応する高度数値を含む位置情報を受信することをさらに含み、
前記の前記隣接セル配置情報によって前記隣接セル情報を特定することは、前記位置情報に基づいて前記端末の存在位置に対応する高度レベルまたは高度区間を特定し、且つ前記測定配置情報に含まれる被測定セル識別子を特定し、前記被測定セル識別子によって前記隣接セル情報を得ることを含む
ことを特徴とする請求項２に記載の方法。
【請求項６】
前記方法では、前記のネットワーク制御装置によって送信された隣接セル配置情報を受信することの前に、
前記端末の位置情報および移動方向を取得することと、
前記端末の位置情報および移動方向と前記隣接セル配置情報によって、前記端末の移動方向に対応する目標隣接セルを特定することと、をさらに含み、
前記の前記隣接セル配置情報によって端末に隣接セル情報を送信することは、前記端末に前記目標隣接セルを含む隣接セル情報を送信することを含む
ことを特徴とする請求項５に記載の方法。
【請求項７】
ネットワーク制御装置に適用され、且つ、
測定装置によって報告された、測定装置の存在位置が被測定セルのダウンリンク参照信号またはダウンリンク同期信号またはチャネル状態参照信号に対する受信電力または受信品質数値を含む測定レポートを取得することと、
前記測定装置の存在位置の高度数値に基づいて、測定装置が存在する高度レベルまたは高度区間を特定することと、
前記測定装置の存在位置および前記測定装置が前記被測定セルのダウンリンク参照信号またはダウンリンク同期信号またはチャネル状態参照信号に対する受信電力または受信品質数値に基づいて、前記測定装置が存在する高度レベルまたは高度区間に対応するサービス品質最良セルを特定することと、
前記サービス品質最良セルに対応するネットワーク機器が異なる高度レベルまたは高度区間での対応する隣接セルを特定することと、
特定された隣接セルに基づいて前記ネットワーク機器に、前記ネットワーク機器が異なる高度レベルまたは高度区間での対応する隣接セルを含む隣接セル配置情報を送信することと、を含む
ことを特徴とする方法。
【請求項８】
前記の前記測定装置の存在位置および前記測定装置が前記被測定セルのダウンリンク参照信号またはダウンリンク同期信号またはチャネル状態参照信号に対する受信電力または受信品質数値に基づいて、前記測定装置が存在する高度レベルまたは高度区間に対応するサービス品質最良セルを特定することは、
前記測定装置が前記被測定セルのダウンリンク参照信号またはダウンリンク同期信号またはチャネル状態参照信号に対する受信電力または受信品質数値のうちの最大値に対応するセルが、前記測定装置が存在する高度レベルまたは高度区間に対応するサービス品質最良セルであることを特定することを含む
ことを特徴とする請求項７に記載の方法。
【請求項９】
前記の前記サービス品質最良セルに対応するネットワーク機器が異なる高度レベルまたは高度区間での対応する隣接セルを特定することは、
同一の高度レベルまたは高度区間の全てのエリア位置に対応するサービス品質最良セルによって、隣接セル分布デジタルマップを生成することと、
前記隣接セル分布デジタルマップによって、前記高度レベルまたは高度区間で前記ネットワーク機器と対応する前記隣接セルを特定することと、を含み、
そのうち、前記隣接セル分布デジタルマップは、同一の高度レベルまたは高度区間の全てのエリア位置に対応するサービス品質最良セルの位置分布を含む
ことを特徴とする請求項７または８に記載の方法。
【請求項１０】
前記方法では、前記の前記隣接セル分布デジタルマップによって、前記高度レベルまたは高度区間で前記ネットワーク機器と対応する前記隣接セルを特定することの前に、
前記ネットワーク機器によって送信された前記ネットワーク機器における端末の移動方向を受信することをさらに含み、
前記の前記隣接セル分布デジタルマップによって、前記高度レベルまたは高度区間で前記ネットワーク機器と対応する前記隣接セルを特定することは、前記隣接セル分布デジタルマップによって、前記端末の移動方向に対応する隣接セルを特定することを含む
ことを特徴とする請求項９に記載の方法。
【請求項１１】
ネットワーク機器に適用される隣接セルを配置する装置であって、
隣接セル情報を特定するための隣接セル情報特定モジュールと、
端末に前記隣接セル情報を送信するための隣接セル情報送信モジュールと、を備え、
そのうち、前記隣接セル情報は、存在する高度レベルまたは高度区間に対応する隣接セルを特定するように前記端末に指示するためのものであり、
前記装置は、
ネットワーク制御装置によって送信された隣接セル配置情報を受信するための配置情報受信モジュールと、
前記隣接セル配置情報によって前記隣接セル情報を特定するための前記隣接セル情報特定モジュールと、をさらに備え、
そのうち、前記隣接セル配置情報は、前記ネットワーク機器が異なる高度レベルまたは高度区間での対応する隣接セルを含み、前記隣接セル情報は、存在する高度レベルまたは高度区間に対応する隣接セルを特定するように前記端末に指示するためのものである
ことを特徴とする隣接セルを配置する装置。
【請求項１２】
前記隣接セル情報送信モジュールは、
アイドル状態にある前記端末が、存在する高度レベルまたは高度区間に対応する隣接セルを特定し、且つセル選択および／またはセル再選択を行うように、同報通信方式によって前記隣接セル情報を送信するために用いられ、及び／又は
専用シグナリングによって、前記端末が存在する高度レベルまたは高度区間に対応する被測定セル識別子を含む測定配置情報を含む前記隣接セル情報を、接続状態にある前記端末に送信することによって、接続状態にある前記端末が前記被測定セル識別子によって移動度測定を行い、且つセル切替えを行うために用いられる
ことを特徴とする請求項１１に記載の装置。
【請求項１３】
前記隣接セル情報は、シーケンス形式で特徴付けられ、
シーケンスにおける各要素は、異なる高度レベルまたは高度区間に対応する
ことを特徴とする請求項１１に記載の装置。
【請求項１４】
前記端末がアイドル状態にある端末であると、前記隣接セル情報は、隣接セル情報選択閾値をも含み、前記隣接セル情報選択閾値は、対応する隣接セル情報を読み取るように前記端末に指示するためのものである
ことを特徴とする請求項１１〜１３のいずれか１項に記載の装置。
【請求項１５】
前記端末が接続状態にある端末であると、前記装置は、
前記端末によって報告された、少なくとも前記端末の存在位置に対応する高度数値を含む位置情報を受信するための位置情報受信モジュールと、
前記位置情報に基づいて前記端末の存在位置に対応する高度レベルまたは高度区間を特定し、且つ前記測定配置情報に含まれる被測定セル識別子を特定し、前記被測定セル識別子によって前記隣接セル情報を得るための前記隣接セル情報特定モジュールと、をさらに備える
ことを特徴とする請求項１２に記載の装置。
【請求項１６】
前記装置は、
前記端末の位置情報および移動方向を取得するための方向取得モジュールと、
前記端末の位置情報および移動方向と前記隣接セル配置情報によって、前記端末の移動方向に対応する目標隣接セルを特定するための第１隣接セル特定モジュールと、
前記端末に、前記目標隣接セルを含む隣接セル情報を送信するための前記隣接セル情報送信モジュールと、をさらに備える
ことを特徴とする請求項１５に記載の装置。
【請求項１７】
ネットワーク制御装置に適用され、且つ、
測定装置によって報告された、測定装置の存在位置が被測定セルのダウンリンク参照信号またはダウンリンク同期信号またはチャネル状態参照信号に対する受信電力または受信品質数値を含む測定レポートを取得するための測定レポート取得モジュールと、
前記測定装置の存在位置の高度数値に基づいて、測定装置が存在する高度レベルまたは高度区間を特定するための第１高度特定モジュールと、
前記測定装置の存在位置および前記測定装置が前記被測定セルのダウンリンク参照信号またはダウンリンク同期信号またはチャネル状態参照信号に対する受信電力または受信品質数値に基づいて、前記測定装置が存在する高度レベルまたは高度区間に対応するサービス品質最良セルを特定するための最良セル特定モジュールと、
前記サービス品質最良セルに対応するネットワーク機器が異なる高度レベルまたは高度区間での対応する隣接セルを特定するための第２隣接セル特定モジュールと、
特定された隣接セルに基づいて前記ネットワーク機器に、前記ネットワーク機器が異なる高度レベルまたは高度区間での対応する隣接セルを含む隣接セル配置情報を送信するための配置情報送信モジュールと、を備える
ことを特徴とする隣接セルを配置する装置。
【請求項１８】
前記最良セル特定モジュールは、前記測定装置が前記被測定セルのダウンリンク参照信号またはダウンリンク同期信号またはチャネル状態参照信号に対する受信電力または受信品質数値のうちの最大値に対応するセルが、前記測定装置が存在する高度レベルまたは高度区間に対応するサービス品質最良セルであることを特定するために用いられる
ことを特徴とする請求項１７に記載の装置。
【請求項１９】
前記第２隣接セル特定モジュールは、同一の高度レベルまたは高度区間の全てのエリア位置に対応するサービス品質最良セルによって、隣接セル分布デジタルマップを生成し、且つ、前記隣接セル分布デジタルマップによって、前記高度レベルまたは高度区間で前記ネットワーク機器と対応する前記隣接セルを特定するために用いられ、
そのうち、前記隣接セル分布デジタルマップは、同一の高度レベルまたは高度区間の全てのエリア位置に対応するサービス品質最良セルの位置分布を含む
ことを特徴とする請求項１７または１８に記載の装置。
【請求項２０】
前記装置は、
前記ネットワーク機器によって送信された前記ネットワーク機器における端末の移動方向を受信するための方向受信モジュールと、
前記隣接セル分布デジタルマップによって、前記端末の移動方向に対応する隣接セルを特定するための前記第２隣接セル特定モジュールと、をさらに備える
ことを特徴とする請求項１９に記載の装置。
【請求項２１】
請求項１〜６のいずれか１項に記載の方法を実行するための一つまたは複数のプログラムを含む
ことを特徴とするコンピュータ可読記憶媒体。
【請求項２２】
ネットワーク機器に適用され、且つ
請求項２１に記載のコンピュータ可読記憶媒体と、
前記コンピュータ可読記憶媒体におけるプログラムを実行するための一つまたは複数のプロセッサーと、を備える
ことを特徴とする隣接セルを配置する装置。
【請求項２３】
請求項７〜１０のいずれか１項に記載の方法を実行するための一つまたは複数のプログラムを含む
ことを特徴とするコンピュータ可読記憶媒体。
【請求項２４】
ネットワーク制御装置に適用され、且つ
請求項２３に記載のコンピュータ可読記憶媒体と、
前記コンピュータ可読記憶媒体におけるプログラムを実行するための一つまたは複数のプロセッサーと、を備える
ことを特徴とする隣接セルを配置する装置。
【発明の詳細な説明】
【技術分野】
【０００１】
本発明は、通信の分野に関し、特に、隣接セル（Ｎｅｉｇｈｂｏｕｒ  Ｃｅｌｌ：ネイバーセル）を配置する方法、装置および記憶媒体に関する。
【背景技術】
【０００２】
ドローン（無人機）技術の発展につれて、ドローンは人々の日常生活の中で使用されているほかに、映画、マスメディア、農業、石油およびガス監視の分野でも使用されている。応用分野の継続的な拡大に伴い、ドローンは通信に対するニーズがますます高まっている。
【０００３】
ＬＴＥシステムにおける隣接セル配置は、いずれも地上サービスに対するものであるが、現在のドローン研究プロジェクトで検討されているドローンは、最大３００メートルの飛行高度と最大１６０ｋｍ／ｈの最大水平速度を有する。既存のＬＴＥシステムの基地局は、いずれも、空中サービスのために空に向くのではなく、地上サービスするようにダウンチルト角を有しており、また、異なる飛行高度で、ドローンの最良信号受信セルと地上にある端末の最良信号受信セルとは大きく異なり、即ち、ドローンの飛行高度の違いによって、地面に比べて最良のセル分布も異なる。よって、地上サービスに向けて設計される伝統的なＬＴＥの隣接セル配置方法を採用すると、ドローンの移動性体験に深刻な影響を与えてしまい、ドローンが通信できなくなってしまうことさえもある。
【発明の概要】
【発明が解決しようとする課題】
【０００４】
上記問題を解決するために、本発明は、隣接セルを配置する方法、装置および記憶媒体を提供する。
【課題を解決するための手段】
【０００５】
本発明の実施例の第１側面によれば、一種の隣接セルを配置する方法が提供される。当該方法は、ネットワーク機器に適用され、且つ、隣接セル情報を特定することと、端末に前記隣接セル情報を送信することと、を含み、前記隣接セル情報は、存在する高度レベルまたは高度区間に対応する隣接セルを特定するように端末に指示するためのものである。
【０００６】
本発明の実施例の第２側面によれば、一種の隣接セルを配置する方法が提供される。当該方法は、ネットワーク制御装置に適用され、且つ、測定装置によって報告された、測定装置の存在位置が被測定セルのダウンリンク参照信号またはダウンリンク同期信号またはチャネル状態参照信号に対する受信電力または受信品質数値を含む測定レポートを取得することと、前記測定装置の存在位置の高度数値に基づいて、測定装置が存在する高度レベルまたは高度区間を特定することと、前記測定装置の存在位置および前記測定装置が前記被測定セルのダウンリンク参照信号またはダウンリンク同期信号またはチャネル状態参照信号に対する受信電力または受信品質数値に基づいて、前記測定装置が存在する高度レベルまたは高度区間に対応するサービス品質最良セルを特定することと、前記サービス品質最良セルに対応するネットワーク機器が異なる高度レベルまたは高度区間での対応する隣接セルを特定することと、特定された隣接セルに基づいて前記ネットワーク機器に、前記ネットワーク機器が異なる高度レベルまたは高度区間での対応する隣接セルを含む隣接セル配置情報を送信することと、を含む。
【０００７】
本発明の実施例の第３側面によれば、一種の隣接セルを配置する方法が提供される。当該方法は、端末に適用され、且つ、前記ネットワーク機器によって送信された隣接セル情報を受信することと、前記隣接セル情報に基づいて前記端末の存在位置の高度数値に対応する隣接セルを特定することと、を含み、そのうち、前記隣接セル情報は、存在する高度レベルまたは高度区間に対応する隣接セルを特定するように前記端末に指示するためのものである。
【０００８】
本発明の実施例の第４側面によれば、一種の隣接セルを配置する装置が提供される。当該装置は、ネットワーク機器に適用され、且つ、隣接セル情報を特定するための隣接セル情報特定モジュールと、端末に前記隣接セル情報を送信するための隣接セル情報送信モジュールと、を備え、そのうち、前記隣接セル情報は、存在する高度レベルまたは高度区間に対応する隣接セルを特定するように端末に指示するためのものである。
【０００９】
本発明の実施例の第５側面によれば、一種の隣接セルを配置する装置が提供される。当該装置は、ネットワーク制御装置に適用され、且つ、測定装置によって報告された、測定装置の存在位置が被測定セルのダウンリンク参照信号またはダウンリンク同期信号またはチャネル状態参照信号に対する受信電力または受信品質数値を含む測定レポートを取得するための測定レポート取得モジュールと、前記測定装置の存在位置の高度数値に基づいて、測定装置が存在する高度レベルまたは高度区間を特定するための第１高度特定モジュールと、前記測定装置の存在位置および前記測定装置が前記被測定セルのダウンリンク参照信号またはダウンリンク同期信号またはチャネル状態参照信号に対する受信電力または受信品質数値に基づいて、前記測定装置が存在する高度レベルまたは高度区間に対応するサービス品質最良セルを特定するための最良セル特定モジュールと、前記サービス品質最良セルに対応するネットワーク機器が異なる高度レベルまたは高度区間での対応する隣接セルを特定するための第２隣接セル特定モジュールと、特定された隣接セルに基づいて前記ネットワーク機器に、前記ネットワーク機器が異なる高度レベルまたは高度区間での対応する隣接セルを含む隣接セル配置情報を送信するための配置情報送信モジュールと、を備える。
【００１０】
本発明の実施例の第６側面によれば、一種の隣接セルを配置する装置が提供される。当該装置は、端末に適用され、且つ、前記ネットワーク機器によって送信された隣接セル情報を受信するための隣接セル情報受信モジュールと、前記隣接セル情報に基づいて前記端末の存在位置の高度数値に対応する隣接セルを特定するための第３隣接セル特定モジュールと、を備え、そのうち、前記隣接セル情報は、存在する高度レベルまたは高度区間に対応する隣接セルを特定するように端末に指示するためのものである。
【００１１】
本発明の実施例の第７側面によれば、一種のコンピュータ可読記憶媒体が提供される。前記コンピュータ可読記憶媒体は、上記第１側面に記載の方法を実行するための一つまたは複数のプログラムを含む。
【００１２】
本発明の実施例の第８側面によれば、一種の隣接セルを配置する装置が提供される。当該装置は、ネットワーク機器に適用され、且つ、前記コンピュータ可読記憶媒体と、前記コンピュータ可読記憶媒体におけるプログラムを実行するための一つまたは複数のプロセッサーと、を備える。
【００１３】
本発明の実施例の第９側面によれば、一種のコンピュータ可読記憶媒体が提供される。前記コンピュータ可読記憶媒体は、上記第２側面に記載の方法を実行するための一つまたは複数のプログラムを含む。
【００１４】
本発明の実施例の第１０側面によれば、一種の隣接セルを配置する装置が提供される。当該装置は、ネットワーク制御装置に適用され、且つ、前記コンピュータ可読記憶媒体と、前記コンピュータ可読記憶媒体におけるプログラムを実行するための一つまたは複数のプロセッサーと、を備える。
【００１５】
本発明の実施例の第１１側面によれば、一種のコンピュータ可読記憶媒体が提供される。前記コンピュータ可読記憶媒体は、上記第３側面に記載の方法を実行するための一つまたは複数のプログラムを含む。
【００１６】
本発明実施例の第１２側面によれば、一種の隣接セルを配置する装置が提供される。当該装置は、端末に適用され、且つ、前記コンピュータ可読記憶媒体と、前記コンピュータ可読記憶媒体におけるプログラムを実行するための一つまたは複数のプロセッサーと、を備える。
【発明の効果】
【００１７】
上記の技術方案によれば、隣接セル配置情報を特定し、且つ、前記隣接セル配置情報によって端末に隣接セル情報を送信し、前記隣接セル情報が、存在する高度レベルまたは高度区間に対応する隣接セルを特定するように端末に指示するためのものである。このようにして、端末が存在する高度レベルまたは高度区間に対応する隣接セルを特定することによって、隣接セル配置を行う時に、端末の高度位置にも配慮でき、ドローンなどの空中サービスの通信品質を確保する。
【図面の簡単な説明】
【００１８】
【図１】本発明の実施例に提供される一種の隣接セルを配置する方法のフローチャートである。
【図２】本発明の実施例に提供されるもう一種の隣接セルを配置する方法のフローチャートである。
【図３】本発明の実施例に提供される一種の隣接セル分布デジタルマップの一部を示す図である。
【図４】本発明の実施例に提供される三種目の隣接セルを配置する方法のフローチャートである。
【図５】本発明の実施例に提供される四種目の隣接セルを配置する方法のフローチャートである。
【図６】本発明の実施例に提供される五種目の隣接セルを配置する方法のフローチャートである。
【図７】本発明の実施例に提供される一種の隣接セルを配置する装置の構成を示す図である。
【図８】本発明の実施例に提供されるもう一種の隣接セルを配置する装置の構成を示す図である。
【図９】本発明の実施例に提供される三種目の隣接セルを配置する装置の構成を示す図である。
【図１０】本発明の実施例に提供される四種目の隣接セルを配置する装置の構成を示す図である。
【図１１】本発明の実施例に提供される五種目の隣接セルを配置する装置の構成を示す図である。
【図１２】本発明の実施例に提供される六種目の隣接セルを配置する装置の構成を示す図である。
【図１３】本発明の実施例に提供される一種の隣接セルを配置する装置のハードウェア構成を示す図である。
【発明を実施するための形態】
【００１９】
以下、図面を参照しながら、本発明の具体的な実施形態を詳細に説明する。なお、ここで説明する具体的な実施形態は本発明を説明して解釈するためのものに過ぎず、本発明を制限するものではないことを理解すべきである。
【００２０】
以下の実施例によって提供される技術方案は、無線通信ネットワーク、例えば、ロング・ターム・エヴォリューション（ｌｏｎｇ  ｔｅｒｍ  ｅｖｏｌｕｔｉｏｎ、「ＬＴＥ」と略称する）システム、先進的なロング・ターム・エヴォリューション（ｌｏｎｇ  ｔｅｒｍ  ｅｖｏｌｕｔｉｏｎ  ａｄｖａｎｃｅｄ、「ＬＴＥ−Ａ」と略称する）システム、及びその更なる進化したネットワーク例えば５Ｇネットワークに適用されることができる。
【００２１】
無線通信ネットワークには、ネットワーク制御装置、ネットワーク機器および端末が含まれることができ、そのうち、端末とネットワーク機器は、直接に通信でき、ネットワーク機器は端末情報をネットワーク制御装置に報告し、ネットワーク制御装置は、端末情報によって操作、管理、メンテナンス及び意思決定などの機能を実行する。そのうち、当該ネットワーク機器は、ユーザ機器または中継サイトなどのほかの通信サイトと通信する機器である、特定の物理的エリアに通信カバレッジを提供できる基地局（Ｂａｓｅ Ｓｔａｔｉｏｎ、「ＢＳ」と略称する）であってもよい。例えば、具体的には、基地局はＬＴＥにおける発展型ノードＢ（ｅｖｏｌｕｔｉｏｎａｌ  ｎｏｄｅＢ、「ＥＮＢ」または「ｅＮｏｄｅＢ」と略称する）であってもよく、または、無線通信ネットワークにおけるアクセスサービスを提供するその他のアクセスネットワーク機器であってもよい。当該ネットワーク制御装置は、基地局に対して機能配置を行うためのネットワーク管理装置であってもよい。
【００２２】
本発明の実施例において、分散型無線通信システムにとっては、当該ネットワーウ制御装置はマスターサービス基地局であってもよく、当該ネットワーク機器はサブサービス基地局であってもよく、マスターサービス基地局は、サブサービス基地局に対して機能配置を行うために用いられ、サブサービス基地局は、マスターサービス基地局に関連情報を報告するために用いられる。
【００２３】
第５世代（５Ｇ）ネットワークにとっては、ＣＵ（Ｃｅｎｔｒａｌ  Ｕｎｉｔ、集約ノード）とＤＵ（Ｄｉｓｔｒｉｂｕｔｅｄ  Ｕｎｉｔ、分散ノード）がある可能性があり、複数のＤＵが一つのＣＵに接続されて集中処理を行い、この場合、当該ネットワーウ制御装置はＣＵであってもよく、当該ネットワーク機器はＤＵであってもよい。
【００２４】
本発明の実施例において、端末は、例えばドローンなどの空飛ぶ機器であることができる。無線通信ネットワーク全体において、空中を飛ぶ端末は、各々の異なる空域に分布することができる。空域は、高度レベルまたは高度空間と水平空間とからなるエリアスペースであることができる。
【００２５】
図１は、本発明の実施例に提供される一種の隣接セルを配置する方法に係る。図１に示すように、当該方法は、端末と直接に通信するネットワーク機器に適用されることができ、且つ、以下のステップを含む。
【００２６】
Ｓ１０１：隣接セル情報を特定する。
【００２７】
そのうち、当該隣接セル情報は、存在する高度レベルまたは高度区間に対応する隣接セルを特定するように端末に指示するためのものである。
【００２８】
このステップにおいて、ネットワーク制御装置によって送信された隣接セル配置情報を受信し、且つ当該隣接セル配置情報によって当該隣接セル情報を特定することができる。
【００２９】
そのうち、当該隣接セル配置情報は、当該ネットワーク機器が異なる高度レベルまたは高度区間での対応する隣接セルを含む。
【００３０】
一種の実現可能な方式では、アイドル状態にある端末にとって、当該隣接セル配置情報は即ち隣接セル情報であり、これにより、後ろで同報通信方式によって当該隣接セル情報を送信し、接続状態にある端末にとって、ネットワーク機器は、端末に報告された位置情報を取得し、当該位置情報によって当該端末が存在する位置に対応する高度レベルまたは高度区間を特定し、且つ、特定された高度レベルまたは高度区間および隣接セル配置情報によって、当該測定配置情報に含まれる当該被測定セル識別子を特定して当該隣接セル情報を得ることができる。
【００３１】
好ましくは、当該隣接セル配置情報は、シーケンス形式で特徴付けられ、シーケンスにおける各要素は、異なる高度レベルまたは高度区間に対応する。
【００３２】
Ｓ１０２：端末に、存在する高度レベルまたは高度区間に対応する隣接セルを特定するように端末に指示するための当該隣接セル情報を送信する。
【００３３】
このステップにおいて、異なるタイプの端末に対して、ネットワーク機器は二種類の方式中の少なくとも一種によって当該隣接セル情報を送信することができる。
【００３４】
方式１：当該端末がアイドル状態にある端末であると、ネットワーク機器は同報通信方式によって当該隣接セル情報を送信し、これによって、アイドル状態にある当該端末は、存在する高度レベルまたは高度区間に対応する隣接セルを特定し、セル選択および／またはセル再選択を実行する。
【００３５】
方式２：当該端末が接続状態にある端末であると、当該ネットワーク機器は専用シグナリングによって、接続状態にある当該端末に当該隣接セル情報を送信することができ、当該隣接セル情報は測定配置情報を含み、当該測定配置情報は、当該端末が存在する高度レベルまたは高度区間に対応する被測定セル識別子を含み、これによって、接続状態にある当該端末は、当該被測定セル識別子によって移動度測定（Ｍｏｂｉｌｉｔｙ  ｍｅａｓｕｒｅｍｅｎｔ）を行い、セル切替えを実行する。
【００３６】
また、当該測定配置情報は、測定の報告周期または測定のトリガーイベントなどの情報を含んでもよい。
【００３７】
なお、上記二種類の方式は同時に実行されることができ、これによって、異なるタイプの端末に対して異なる送信方式を採用し、そのうちの一種の端末に対してそのうちの一種の方式を実行してもよい。例えば、アイドル状態にある端末を最適化するために、方式１のみを実行してもよく、または、接続状態にある端末を最適化するために、方式２のみを実行してもよく、本発明ではそれに対して限定を行わない。
【００３８】
好ましくは、当該端末が接続状態にある端末である場合、ネットワーク機器は、さらに、当該ネットワーク制御装置によって送信される隣接セル分布デジタルマップも受信でき、且つ、当該端末の位置情報および移動方向を取得し、当該端末の位置情報および移動方向と当該隣接セル配置情報によって、当該隣接セル分布デジタルマップから当該端末の移動方向に対応する目標隣接セルを特定し、当該端末に当該目標隣接セルを含む隣接セル情報を送信する。
【００３９】
そのうち、当該隣接セル分布デジタルマップは、同一の高度レベルまたは高度区間での全てのエリア位置に対応するサービス品質最良セルの位置分布を含む。
【００４０】
上記の方案によれば、端末が存在する高度レベルまたは高度区間に対応する隣接セルを特定することによって、隣接セル配置を行う時に、端末の高度位置にも配慮でき、ドローンなどの空中サービスの通信品質を確保する。
【００４１】
図２は、本発明の実施例に提供される一種の隣接セルを配置する方法に係る。図２に示すように、当該方法は、ネットワーク制御装置に適用されることができ、且つ、以下のステップを含む。
【００４２】
Ｓ２０１：測定装置によって報告された測定レポートを取得する。
【００４３】
そのうち、当該測定レポートは、測定装置の存在位置が被測定セルのダウンリンク参照信号またはダウンリンク同期信号またはチャネル状態参照信号に対する受信電力または受信品質数値が含まれる。
【００４４】
当該測定装置は、一般的な商用端末であってもよく、セル測定専用のドライブテスト端末であってもよい。
【００４５】
Ｓ２０２：当該測定装置の存在位置の高度数値に基づいて、測定装置が存在する高度レベルまたは高度区間を特定する。
【００４６】
なお、当該高度レベルまたは高度区間は、測定装置が到達できる最大の高度に従って設定することができる。例えば、当該測定装置は、ドローンであることができ、現在では、ドローンの最大飛行高度は３００メートルに達することができるので、５０メートルのスパンで六つの高度レベルまたは高度区間に対応する高度範囲を得て、それぞれ高度範囲１（０−５０）、高度範囲２（５０−１００）、高度範囲３（１００−１５０）、高度範囲４（１５０−２００）、高度範囲５（２００−２５０）、高度範囲６（２５０−３００）と記載され、且つ、測定装置の存在位置の高度数値に基づいて、当該測定装置がどの高度レベルまたは高度区間に属するかを特定する。
【００４７】
Ｓ２０３：当該測定装置の存在位置および当該測定装置が当該被測定セルのダウンリンク参照信号またはダウンリンク同期信号またはチャネル状態参照信号に対する受信電力または受信品質数値によって、当該測定装置が存在する高度レベルまたは高度区間に対応するサービス品質最良セルを特定する。
【００４８】
そのうち、当該受信品質数値は、信号対雑音比によって特徴付けられることができる。
【００４９】
このステップにおいて、当該測定装置が当該被測定セルのダウンリンク参照信号またはダウンリンク同期信号またはチャネル状態参照信号に対する受信電力または受信品質数値のうちの最大値に対応するセルが、当該測定装置が存在する高度レベルまたは高度区間に対応するサービス品質最良セルであることを特定できる。
【００５０】
例示的なものとして、端末が当該被測定セルのダウンリンク参照信号またはダウンリンク同期信号またはチャネル状態参照信号に対する受信電力または受信品質数値（信号対雑音比）を並び替え、最高の受信電力または受信品質数値の最大値に対応するセルを当該サービス品質最良セルとして選択することができる。
【００５１】
Ｓ２０４：当該サービス品質最良セルに対応するネットワーク機器が異なる高度レベルまたは高度区間での対応する隣接セルを特定する。
【００５２】
このステップにおいて、同一の高度レベルまたは高度区間での全てのエリア位置に対応するサービス品質最良セルによって、隣接セル分布デジタルマップを生成し、且つ、当該隣接セル分布デジタルマップによって、当該高度レベルまたは高度区間で当該ネットワーク機器と対応する当該隣接セルを特定することができる。
【００５３】
そのうち、当該隣接セル分布デジタルマップは、同一の高度レベルまたは高度区間での全てのエリア位置に対応するサービス品質最良セルの位置分布を含む。
【００５４】
例えば、図３に示すように、隣接セル分布デジタルマップは、基地局１、基地局２、基地局３、基地局４および基地局５を含み、且つ、基地局１に対応するサービスセルがセル１１、セル１２およびセル１３を含み、基地局２に対応するサービスセルがセル２１、セル２２およびセル２３を含み、基地局３に対応するサービスセルがセル３１、セル３２およびセル３３を含み、基地局４に対応するサービスセルがセル４１、セル４２およびセル４３を含み、基地局５に対応するサービスセルがセル５１、セル５２およびセル５３を含み、セル１３に隣接するセルがセル３２、セル３１、セル４２、セル１１、セル５３、セル１２およびセル２１であると、当該隣接セル分布デジタルマップによって、セル１３に隣接するセルがセル３２、セル３１、セル４２、セル１１、セル５３、セル１２およびセル２１であることを特定できる。その他のセルの隣接セルの特定は、セル１３の隣接セルの特定と同じであるので、これ以上贅言しない。
【００５５】
好ましくは、ネットワーク制御装置は、当該ネットワーク機器によって送信された当該ネットワーク機器における端末の移動方向も受信でき、且つ、当該隣接セル分布デジタルマップによって、当該端末の移動方向に対応する隣接セルを特定し、これによって、端末の移動度にも配慮して隣接セル配置を行い、後続のセル選択および／またはセル切替えの効率を向上する。
【００５６】
例示的に、依然として図３を例として、端末が存在するサービスセルはセル１３であり、且つ、ネットワーク制御装置は端末が図３における東南方向へ移動することを特定すると、特定された隣接セルは、セル２１とセル１２であることができる。
【００５７】
このようにして、このステップによって、当該ネットワーク機器が異なる高度レベルまたは高度区間での対応する隣接セルを得ることができる。
【００５８】
Ｓ２０５：特定された隣接セルに基づいて、当該ネットワーク機器に隣接セル配置情報を送信する。
【００５９】
そのうち、当該隣接セル配置情報は、当該ネットワーク機器が異なる高度レベルまたは高度区間での対応する隣接セルを含む。
【００６０】
好ましくは、ネットワーク制御装置は、上記の隣接セル分布デジタルマップをネットワーク機器までに送信することもでき、このようにして、ネットワーク機器によって端末の移動方向を取得し、当該隣接セル分布デジタルマップによって隣接セルから当該移動方向に対応する目標隣接セルを特定し、且つ当該目標隣接セルを端末に直接報知することもできる。
【００６１】
上記の方案によれば、ネットワーク制御装置は、異なる高度の空域に基づいて対応する隣接セルを配置することによって、隣接セル配置を行う時に、端末の高度位置にも配慮でき、ドローンなどの空中サービスの通信品質を確保する。
【００６２】
図４は、本発明の実施例に提供される一種の隣接セルを配置する方法に係る。図４に示すように、当該方法は、端末に適用され、且つ、以下のステップを含む。
【００６３】
Ｓ４０１：ネットワーク機器によって送信された隣接セル情報を受信する。
【００６４】
そのうち、当該隣接セル情報は、存在する高度レベルまたは高度区間に対応する隣接セルを特定するように当該端末に指示するためのものである。
【００６５】
このステップにおいて、異なるタイプの端末に対して、ネットワーク機器は二種類の方式中の少なくとも一種によって当該隣接セル情報を送信することができる。
【００６６】
方式１：当該端末がアイドル状態にある端末であると、端末は、当該ネットワーク機器に同報通信される当該隣接セル情報を受信することができる。
【００６７】
方式２：当該端末が接続状態にある端末であり、当該隣接セル情報が測定配置情報を含み、当該測定配置情報が当該端末の存在する高度レベルまたは高度区間に対応する被測定セル識別子を含むと、端末は、ネットワーク機器が専用シグナリングによって送信した測定配置情報を受信することができる。
【００６８】
また、当該測定配置情報は、測定の報告周期または測定のトリガーイベントなどの情報を含んでもよい。
【００６９】
なお、上記二種類の方式は同時に実行されることができ、これによって、異なるタイプの端末に対して異なる送信方式を採用し、そのうちの一種の端末に対してそのうちの一種の方式を実行してもよい。例えば、アイドル状態にある端末を最適化するために、方式１のみを実行してもよく、または、接続状態にある端末を最適化するために、方式２のみを実行してもよく、本発明ではそれに対して限定を行わない。
【００７０】
Ｓ４０２：当該隣接セル情報によって、当該端末の存在位置の高度数値に対応する隣接セルを特定する。
【００７１】
上記の方案によれば、端末は隣接セル情報によって、存在位置の高度数値に対応する隣接セルを特定することによって、隣接セル配置を行う時に、端末の高度位置にも配慮でき、ドローンなどの空中サービスの通信品質を確保する。
【００７２】
図５は、本発明の実施例に提供される一種の隣接セルを配置する方法に係る。図５に示すように、本実施例における端末は、アイドル状態にある端末を例として説明し、当該方法は、以下のステップを含む。
【００７３】
Ｓ５０１：ネットワーク制御装置は、ネットワーク機器に隣接セル配置情報を送信する。
【００７４】
そのうち、当該隣接セル配置情報は、当該ネットワーク機器が異なる高度レベルまたは高度区間での対応する隣接セルを含む。
【００７５】
例えば、当該高度レベルまたは高度区間に対応する高度範囲は、高度範囲１（０−５０）、高度範囲２（５０−１００）、高度範囲３（１００−１５０）、高度範囲４（１５０−２００）、高度範囲５（２００−２５０）、高度範囲６（２５０−３００）を含み、端末が同じ水平区間での異なる高度範囲内に対応する隣接セルは、異なっている。
【００７６】
好ましくは、当該隣接セル配置情報は、シーケンス形式で特徴付けられ、シーケンスにおける各要素は、異なる高度レベルまたは高度区間に対応する。
【００７７】
例えば、当該隣接セル配置情報におけるシーケンスは、六つの要素を含み、そのうち、要素１は高度範囲１に対応し、要素２は高度範囲２に対応し、要素３は高度範囲３に対応し、要素４は高度範囲４に対応し、要素５は高度範囲５に対応し、要素６は高度範囲６に対応する。
【００７８】
なお、このステップの前に、ネットワーク制御装置は、異なる高度レベルまたは高度区間に対応する隣接セルを取得する必要がある。一種の実現可能な方式では、ネットワーク制御装置は、測定装置によって報告された測定レポートを取得し、当該測定レポートは、測定装置の存在位置が被測定セルのダウンリンク参照信号またはダウンリンク同期信号またはチャネル状態参照信号に対する受信電力または受信品質数値が含まれ、且つ、ネットワーク制御装置は、当該測定装置の存在位置の高度数値に基づいて、測定装置が存在する高度レベルまたは高度区間を特定し、当該測定装置の存在位置および当該測定装置が当該被測定セルのダウンリンク参照信号またはダウンリンク同期信号またはチャネル状態参照信号に対する受信電力または受信品質数値によって、当該測定装置が存在する高度レベルまたは高度区間に対応するサービス品質最良セルを特定し、当該サービス品質最良セルに対応するネットワーク機器が異なる高度レベルまたは高度区間での対応する隣接セルを特定し、特定された隣接セルによって当該ネットワーク機器に隣接セル配置情報を送信し、当該隣接セル配置情報は、当該ネットワーク機器が異なる高度レベルまたは高度区間での対応する隣接セルを含む。その具体的な説明は、上記の図２に示す実施例に関する説明を参照でき、ここでこれ以上贅言しない。
【００７９】
Ｓ５０２：ネットワーク機器は、当該隣接セル配置情報を隣接セル情報として特定し、且つ同報通信方式によって当該隣接セル情報を送信する。
【００８０】
そのうち、当該隣接セル情報は、存在する高度レベルまたは高度区間に対応する隣接セルを特定するように端末に指示するためのものであり、当該隣接セル情報は、シーケンス形式で特徴付けられ、シーケンスにおける各要素は、異なる高度レベルまたは高度区間に対応する。
【００８１】
好ましくは、当該隣接セル情報は、隣接セル情報選択閾値およびセル選択閾値を含んでもよく、当該隣接セル情報選択閾値は、対応する隣接セル情報を読み取るように当該端末に指示するためのものであり、当該セル選択閾値は、端末が当該セル選択閾値に基づいてセル再選択および／またはセル選択を行うか否かを決定するためのものである。
【００８２】
Ｓ５０３：端末は当該隣接セル情報を受信し、且つ、当該端末の存在位置の高度数値に基づいて、当該端末が存在する高度レベルまたは高度区間を特定する。
【００８３】
このステップにおいて、端末は、以下の二種類の方式によって当該端末が存在する高度レベルまたは高度区間を特定することができる。
【００８４】
方式１：端末は、存在位置の高度数値に基づいて所属の高度レベルまたは高度区間を特定することができる。
【００８５】
例示的に、高度レベルまたは高度区間で表す高度範囲が、高度範囲１（０−５０）、高度範囲２（５０−１００）、高度範囲３（１００−１５０）、高度範囲４（１５０−２００）、高度範囲５（２００−２５０）、高度範囲６（２５０−３００）の六つの高度範囲を含むことを例として説明する場合、当該端末の目前高度が４５メートルであると、当該端末の目前高度が存在する高度範囲が高度範囲１であることを特定し、且つ、目前高度が高度レベル１または高度空間１であることを特定し、これにより、水平区間および高度範囲によって目標空域を特定し、これをもとにして類推する。上記の高度範囲は、ただ例として説明されるもので、限定されるものではない。
【００８６】
方式２：隣接セル情報は隣接セル情報選択閾値をも含む場合に、端末は、当該端末の存在位置の高度数値および当該隣接セル情報選択閾値に基づいて、端末が存在する高度レベルまたは高度区間を特定する。
【００８７】
当該方式では、当該端末の存在位置の高度数値と当該隣接セル情報選択閾値を比較することができ、当該高度数値が当該隣接セル情報選択閾値よりも小さいと、当該端末の存在位置が当該隣接セル情報選択閾値に対応する高度レベルまたは高度区間にあることを特定する。
【００８８】
例示的に、当該高度範囲が高度範囲１、高度範囲２、高度範囲３、高度範囲４、高度範囲５、高度範囲６の六つの高度範囲であることを例として説明する場合、当該隣接セル情報選択閾値は５０メートル、１００メートル、２００メートル、及び２５０メートルであることができ、端末の目前高度が５０メートル未満であると、存在する高度範囲が高度範囲１であることを特定し、端末の目前高度が５０メートル超過１００メートル未満であると、存在する高度範囲が高度範囲２であることを特定し、これをもとにして類推する。
【００８９】
Ｓ５０４：端末は、当該隣接セル情報および当該端末が存在する高度レベルまたは高度区間によって、当該端末の存在位置の高度数値に対応する隣接セルを特定する。
【００９０】
このステップにおいて、当該ネットワーク機器によって送信された隣接セル情報における当該高度レベルまたは高度区間に対応する隣接セル情報を読み取ることができる。
【００９１】
Ｓ５０５：端末は、停留するセルのダウンリンク参照信号またはダウンリンク同期信号またはチャネル状態参照信号に対する受信電力または受信品質数値を取得する。
【００９２】
そのうち、当該受信品質数値は、信号対雑音比であることができる。
【００９３】
Ｓ５０６：端末は、受信電力または受信品質数値によって当該隣接セルに対してセル測定を行い、且つセル再選択および／またはセル選択を行う。
【００９４】
このステップにおいて、端末は、隣接セル情報に含まれるセル選択閾値によってセル再選択および／またはセル選択を行うか否かを決定することができる。一種の実現可能な方式では、端末は、当該受信電力または受信品質数値が当該セル選択閾値以下であるか否かを特定することができ、且つ、当該受信電力または受信品質数値が当該セル選択閾値の以下である場合に、当該隣接セルに対してセル測定を行い、且つセル選択を行う。
【００９５】
このようにして、端末が停留するセルの受信電力または受信品質数値が当該セル選択閾値よりも小さいと、即ち、目前停留しているセルのチャネル品質はもう殆どサービスニーズを満足できない時に、端末は、その他のセルを選択し始めて停留する。目前停留しているセルの品質がまだ良い（即ち、受信電力または受信品質数値がセル選択閾値よりも高い）であると、端末の電力消費を低減するように、セル選択はオンにされない。
【００９６】
上記の方案によれば、アイドル状態にある端末の存在位置の高度数値によって、対応する隣接セルを特定し、これにより、隣接セル配置を行う時に、アイドル状態にある端末の高度位置にも配慮でき、ドローンなどの空中サービスの通信品質を確保する。
【００９７】
なお、簡単に説明するために、上記の方法実施例を一連の動作の組み合わせとして記述しているが、当業者にとっては、本発明は記述された動作順序に限定されていないことを理解すべきである。また、当業者は、明細書に記載された実施例がいずれも好ましい実施例に属し、係る動作およびモジュールが必ずしも本発明に必須のものではないことも理解すべきである。
【００９８】
図６は、本発明の実施例に提供される一種の隣接セルを配置する方法に係る。図６に示すように、本実施例における端末は、接続状態にある端末を例として説明し、当該方法は、以下のステップを含む。
【００９９】
Ｓ６０１：ネットワーク制御装置は、ネットワーク機器に隣接セル配置情報を送信する。
【０１００】
そのうち、当該隣接セル配置情報は、当該ネットワーク機器が異なる高度レベルまたは高度区間での対応する隣接セルを含む。
【０１０１】
例えば、当該高度レベルまたは高度区間に対応する高度範囲は、高度範囲１（０−５０）、高度範囲２（５０−１００）、高度範囲３（１００−１５０）、高度範囲４（１５０−２００）、高度範囲５（２００−２５０）、高度範囲６（２５０−３００）を含み、端末が同じ水平区間での異なる高度範囲内に対応する隣接セルは、異なっている。
【０１０２】
好ましくは、当該隣接セル配置情報は、シーケンス形式で特徴付けられ、シーケンスにおける各要素は、異なる高度レベルまたは高度区間に対応する。
【０１０３】
例えば、当該隣接セル配置情報におけるシーケンスは、六つの要素を含み、そのうち、要素１は高度範囲１に対応し、要素２は高度範囲２に対応し、要素３は高度範囲３に対応し、要素４は高度範囲４に対応し、要素５は高度範囲５に対応し、要素６は高度範囲６に対応する。
【０１０４】
なお、このステップの前に、ネットワーク制御装置は、異なる高度レベルまたは高度区間に対応する隣接セルを取得する必要がある。一種の実現可能な方式では、ネットワーク制御装置は、測定装置によって報告された測定レポートを取得し、当該測定レポートは、測定装置の存在位置が被測定セルのダウンリンク参照信号またはダウンリンク同期信号またはチャネル状態参照信号に対する受信電力または受信品質数値が含まれ、且つ、ネットワーク制御装置は、当該測定装置の存在位置の高度数値に基づいて、測定装置が存在する高度レベルまたは高度区間を特定し、当該測定装置の存在位置および当該測定装置が当該被測定セルのダウンリンク参照信号またはダウンリンク同期信号またはチャネル状態参照信号に対する受信電力または受信品質数値によって、当該測定装置が存在する高度レベルまたは高度区間に対応するサービス品質最良セルを特定し、当該サービス品質最良セルに対応するネットワーク機器が異なる高度レベルまたは高度区間での対応する隣接セルを特定し、特定された隣接セルによって当該ネットワーク機器に隣接セル配置情報を送信し、当該隣接セル配置情報は、当該ネットワーク機器が異なる高度レベルまたは高度区間での対応する隣接セルを含む。その具体的な説明は、上記の図２に示す実施例に関する説明を参照でき、ここでこれ以上贅言しない。
【０１０５】
Ｓ６０２：端末は、ネットワーク機器に位置情報を報告する。
【０１０６】
そのうち、当該位置情報は、少なくとも当該端末の存在位置の高度数値を含む。
【０１０７】
Ｓ６０３：ネットワーク機器は、当該位置情報に基づいて当該端末が存在する高度レベルまたは高度区間を特定し、且つ当該高度レベルまたは高度区間に対応する隣接セルを特定する。
【０１０８】
このステップにおいて、端末は、存在位置の高度数値に基づいて所属の高度レベルまたは高度区間を特定することができる。
【０１０９】
例示的に、高度レベルまたは高度区間で表す高度範囲が、高度範囲１（０−５０）、高度範囲２（５０−１００）、高度範囲３（１００−１５０）、高度範囲４（１５０−２００）、高度範囲５（２００−２５０）、高度範囲６（２５０−３００）の六つの高度範囲を含むことを例として説明する場合、当該端末の目前高度が４５メートルであると、当該端末の目前高度が存在する高度範囲が高度範囲１であることを特定し、且つ、目前高度が高度レベル１または高度空間１であることを特定し、これにより、水平区間および高度範囲によって目標空域を特定し、これをもとにして類推する。上記の高度範囲は、ただ例として説明されるもので、限定されるものではない。
【０１１０】
Ｓ６０４：ネットワーク機器は、専用シグナリングによってサービスセル内の端末に隣接セル情報を送信する。
【０１１１】
そのうち、当該隣接セル情報は測定配置情報を含み、当該測定配置情報は、当該端末が存在する高度レベルまたは高度区間に対応する被測定セル（隣接セルに相当）識別子を含む。
【０１１２】
好ましくは、当該測定配置情報はセル切替閾値をも含み、当該セル切替閾値は、当該端末がセル切替閾値によってセル切替えを行うか否かを決定するためのものである。
【０１１３】
Ｓ６０５：端末は、隣接セル情報における測定配置情報のうちの被測定セル識別子を取得し、且つ当該被測定セル識別子によって当該隣接セルを特定する。
【０１１４】
このステップにおいて、端末は、被測定セル識別子で標識されるセルが隣接セルであることを特定する。
【０１１５】
Ｓ６０６：端末は、停留するセルのダウンリンク参照信号またはダウンリンク同期信号またはチャネル状態参照信号に対する受信電力または受信品質数値を取得する。
【０１１６】
そのうち、当該受信品質数値は、信号対雑音比であることができる。
【０１１７】
Ｓ６０７：端末は、受信電力または受信品質数値によって当該隣接セルに対してセル測定を行い、且つセル切替えを行う。
【０１１８】
このステップにおいて、端末は、隣接セル情報に含まれるセル切替閾値によってセル切替えを行うか否かを決定することができる。一種の実現可能な方式では、端末は、当該受信電力または受信品質数値が当該セル切替閾値以下であるか否かを特定することができ、且つ、当該受信電力または受信品質数値が当該セル切替閾値以下である場合に、当該隣接セルに対して移動度測定を行い、且つセル切替えを行う。
【０１１９】
このようにして、端末が停留するセルの受信電力または受信品質数値が当該セル切替閾値よりも小さいと、即ち、目前停留しているセルのチャネル品質はもう殆どサービスニーズを満足できない時に、端末は、その他のセルを選択し始めて停留する。目前停留しているセルの品質がまだ良い（即ち、受信電力または受信品質数値がセル切替閾値よりも高い）であると、端末の電力消費を低減するように、セル切替えはオンにされない。
【０１２０】
上記の方案によれば、接続状態にある端末の存在高度によって、端末がサービスするセルに対応する隣接セルを特定し、これにより、隣接セル配置を行う時に、接続状態にある端末の高度位置にも配慮でき、ドローンなどの空中サービスの通信品質を確保する。
【０１２１】
なお、簡単に説明するために、上記の方法実施例を一連の動作の組み合わせとして記述しているが、当業者にとっては、本発明は記述された動作順序に限定されていないことを理解すべきである。また、当業者は、明細書に記載された実施例がいずれも好ましい実施例に属し、係る動作およびモジュールが必ずしも本発明に必須のものではないことも理解すべきである。
【０１２２】
図７は、本発明の実施例に提供される一種の隣接セルを配置する装置に係る。図７に示すように、当該装置は、ネットワーク機器に適用され、且つ、隣接セル情報を特定するための隣接セル情報特定モジュール７０１と、端末に当該隣接セル情報を送信するための隣接セル情報送信モジュール７０２とを備え、そのうち、当該隣接セル情報は、存在する高度レベルまたは高度区間に対応する隣接セルを特定するように端末に指示するためのものである。
【０１２３】
好ましくは、図８に示すように、当該装置は、ネットワーク制御装置によって送信された隣接セル配置情報を受信するための配置情報受信モジュール７０３と、当該隣接セル配置情報によって当該隣接セル情報を特定するための当該隣接セル情報特定モジュール７０１と、をさらに備え、当該隣接セル情報は、存在する高度レベルまたは高度区間に対応する隣接セルを特定するように当該端末に指示するためのものである。
【０１２４】
好ましくは、当該隣接セル情報送信モジュール７０２は、アイドル状態にある当該端末が、存在する高度レベルまたは高度区間に対応する隣接セルを特定し、セル選択および／またはセル再選択を行うように、同報通信方式によって当該隣接セル情報を送信するために用いられ、及び／又は
専用シグナリングによって、当該端末が存在する高度レベルまたは高度区間に対応する被測定セル識別子を含む測定配置情報を含む当該隣接セル情報を、接続状態にある当該端末に送信することによって、接続状態にある当該端末が、当該被測定セル識別子によって移動度測定を行い、且つセル切替えを行うために用いられる。
【０１２５】
好ましくは、当該隣接セル情報は、シーケンス形式で特徴付けられ、シーケンスにおける各要素は、異なる高度レベルまたは高度区間に対応する。
【０１２６】
好ましくは、当該端末がアイドル状態にある端末であると、当該隣接セル情報は、隣接セル情報選択閾値をも含み、当該隣接セル情報選択閾値は、対応する隣接セル情報を読み取るように当該端末に指示するためのものである。
【０１２７】
好ましくは、当該端末が接続状態にある端末であると、図９に示すように、当該装置は、
当該端末によって報告された、少なくとも当該端末の存在位置に対応する高度数値を含む位置情報を受信するための位置情報受信モジュール７０４と、
当該位置情報に基づいて当該端末の存在位置に対応する高度レベルまたは高度区間を特定し、且つ当該測定配置情報に含まれる被測定セル識別子を特定し、当該被測定セル識別子によって当該隣接セル情報を得るための当該隣接セル情報特定モジュール７０１と、をさらに備える。
【０１２８】
好ましくは、図１０に示すように、当該装置は、
当該端末の位置情報および移動方向を取得するための方向取得モジュール７０６と、
当該端末の位置情報および移動方向と当該隣接セル配置情報によって、当該端末の移動方向に対応する目標隣接セルを特定するための第１隣接セル特定モジュール７０７と、
当該端末に、当該目標隣接セルを含む隣接セル情報を送信するための隣接セル情報送信モジュール７０２と、をさらに備える。
【０１２９】
上記の装置によれば、端末が存在する高度レベルまたは高度区間に対応する隣接セルを特定することによって、隣接セル配置を行う時に、端末の高度位置にも配慮でき、ドローンなどの空中サービスの通信品質を確保する。
【０１３０】
図１１は、本発明の実施例に提供される一種の隣接セルを配置する装置に係る。図１１に示すように、当該装置は、ネットワーク制御装置に適用され、且つ、
測定装置によって報告された、測定装置の存在位置が被測定セルのダウンリンク参照信号またはダウンリンク同期信号またはチャネル状態参照信号に対する受信電力または受信品質数値を含む測定レポートを取得するための測定レポート取得モジュール１１０１と、
当該測定装置の存在位置の高度数値に基づいて、測定装置が存在する高度レベルまたは高度区間を特定するための第１高度特定モジュール１１０２と、
当該測定装置の存在位置および当該測定装置が被測定セルのダウンリンク参照信号またはダウンリンク同期信号またはチャネル状態参照信号に対する受信電力または受信品質数値に基づいて、当該測定装置が存在する高度レベルまたは高度区間に対応するサービス品質最良セルを特定するための最良セル特定モジュール１１０３と、
当該サービス品質最良セルに対応するネットワーク機器が異なる高度レベルまたは高度区間での対応する隣接セルを特定するための第２隣接セル特定モジュール１１０４と、
特定された隣接セルに基づいて当該ネットワーク機器に、当該ネットワーク機器が異なる高度レベルまたは高度区間での対応する隣接セルを含む隣接セル配置情報を送信するための配置情報送信モジュール１１０５と、を備える。
【０１３１】
好ましくは、当該最良セル特定モジュール１１０３は、当該測定装置が被測定セルのダウンリンク参照信号またはダウンリンク同期信号またはチャネル状態参照信号に対する受信電力または受信品質数値のうちの最大値に対応するセルが、当該測定装置が存在する高度レベルまたは高度区間に対応するサービス品質最良セルであることを特定するために用いられる。
【０１３２】
好ましくは、当該第２隣接セル特定モジュール１１０４は、同一の高度レベルまたは高度区間での全てのエリア位置に対応するサービス品質最良セルによって、隣接セル分布デジタルマップを生成し、且つ、当該隣接セル分布デジタルマップによって、当該高度レベルまたは高度区間で当該ネットワーク機器と対応する当該隣接セルを特定するために用いられ、そのうち、当該隣接セル分布デジタルマップは、同一の高度レベルまたは高度区間での全てのエリア位置に対応するサービス品質最良セルの位置分布を含む。
【０１３３】
好ましくは、当該装置は、当該ネットワーク機器によって送信された当該ネットワーク機器における端末の移動方向を受信するための方向受信モジュールと、当該隣接セル分布デジタルマップによって、当該端末の移動方向に対応する隣接セルを特定するための当該第２隣接セル特定モジュール１１０４と、をさらに備える。
【０１３４】
上記の装置によれば、ネットワーク制御装置は異なる高度の空域に基づいて、対応する隣接セルを配置し、これにより、隣接セル配置を行う時に、端末の高度位置にも配慮でき、ドローンなどの空中サービスの通信品質を確保する。
【０１３５】
図１２は、本発明の実施例に提供される一種の隣接セルを配置する装置に係る。図１２に示すように、当該装置は、端末に適用され、且つ、ネットワーク機器によって送信された隣接セル情報を受信するための隣接セル情報受信モジュール１２０１と、当該隣接セル情報に基づいて当該端末の存在位置の高度数値に対応する隣接セルを特定するための第３隣接セル特定モジュール１２０２と、を備え、そのうち、当該隣接セル情報は、存在する高度レベルまたは高度区間に対応する隣接セルを特定するように端末に指示するためのものである。
【０１３６】
好ましくは、当該端末がアイドル状態にある端末であると、当該装置は、端末の存在位置の高度数値に基づいて存在する高度レベルまたは高度区間を特定するための第２高度特定モジュールと、当該隣接セル情報および当該端末が存在する高度レベルまたは高度区間に基づいて、当該端末の存在位置の高度数値に対応する隣接セルを特定するための当該第３隣接セル特定モジュール１２０２と、をさらに備える。
【０１３７】
好ましくは、当該隣接セル情報は、対応する隣接セル情報を読み取るように当該端末に指示するための隣接セル情報選択閾値をも含み、当該第３隣接セル特定モジュール１２０２は、当該端末の存在位置の高度数値および当該隣接セル情報選択閾値に基づいて、端末が存在する高度レベルまたは高度区間を特定し、且つ、当該ネットワーク機器によって送信された隣接セル情報における当該高度レベルまたは高度区間に対応する隣接セル情報を読み取るために用いられる。
【０１３８】
好ましくは、当該第２高度特定モジュールは、当該端末の存在位置の高度数値と当該隣接セル情報選択閾値を比較するために用いられ、当該高度数値が当該隣接セル情報選択閾値よりも小さいと、当該端末の存在位置が当該隣接セル情報選択閾値に対応する高度レベルまたは高度区間にあることを特定する。
【０１３９】
好ましくは、当該端末が接続状態にある端末であると、当該隣接セル情報は、測定配置情報を含み、当該測定配置情報は、当該端末が存在する高度レベルまたは高度区間に対応する被測定セル識別子を含み、当該隣接セル情報受信モジュール１２０１は、当該ネットワーク機器が当該隣接セル配置情報に基づいて専用シグナリングによって送信した測定配置情報を受信するために用いられる。
【０１４０】
好ましくは、当該装置は、
当該ネットワーク機器に、当該端末の少なくとも当該端末が存在する目前高度数値を含む位置情報を報告することで、当該ネットワーク機器が当該位置情報に基づいて当該端末が存在する高度レベルまたは高度区間を特定し、且つ当該高度レベルまたは高度区間に対応する隣接セルを特定するための位置情報報告モジュールと、
当該測定配置情報のうちの被測定セル識別子を取得し、且つ当該被測定セル識別子によって当該隣接セルを特定するための当該第３隣接セル特定モジュール１２０２と、をさらに備える。
【０１４１】
上記の装置によれば、端末は隣接セル情報に基づいて、目前高度に対応する隣接セルを特定し、これにより、隣接セル配置を行う時に、端末の高度位置にも配慮でき、ドローンなどの空中サービスの通信品質を確保する。
【０１４２】
なお、説明の簡潔および便宜を図るために、上記に記述された装置の具体的な動作過程および説明は、前記の方法実施例における対応する過程を参照することができ、ここでこれ以上贅言しない。これは、当業者にとってははっきりと理解できるものである。
【０１４３】
図１３は、本発明の一実施例に提供される一種の隣接セルを配置する装置のブロック図である。図１３に示すように、当該装置１３００は、ネットワーク側機器、ネットワーク制御装置または端末であることができ、当該装置１３００は、プロセッサー１３０１、メモリー１３０２、マルチメディアユニット１３０３、入出力（Ｉ/Ｏ）インターフェース１３０４、及び通信ユニット１３０５を備えることができる。
【０１４４】
そのうち、プロセッサー１３０１は、当該装置１３００の全体の操作を制御して、上記の隣接セルを配置する方法の全てまたは一部のステップを達成するために用いられる。メモリー１３０２は、各種類のデータを記憶して当該装置１３００における操作をサッポートするために用いられ、これらのデータは、当該装置１３００において操作される如何なるアプリケーションまたは方法の命令、及びアプリケーションに係るデータ、例えば連絡者のデータ、授受メッセージ、ピクチャ、オーディオ、ビデオなどを含んでもよい。
【０１４５】
当該メモリー１３０２は、如何なるタイプの揮発性または不揮発性の記憶端末デバイス或いはそれらの組合せによって構成されることができ、例えば、スタティックメモリー（Ｓｔａｔｉｃ  Ｒａｎｄｏｍ  Ａｃｃｅｓｓ  Ｍｅｍｏｒｙ、「ＳＲＡＭ」と略称する）、電気的消去可能プログラマブル読み取り専用メモリー(Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、「ＥＥＰＲＯＭ」と略称する）、消去可能プログラマブル読み取り専用メモリー(Ｅｒａｓａｂｌｅ  Ｐｒｏｇｒａｍｍａｂｌｅ  Ｒｅａｄ−Ｏｎｌｙ  Ｍｅｍｏｒｙ、「ＥＰＲＯＭ」と略称する）、プログラマブル読み取り専用メモリー(Ｐｒｏｇｒａｍｍａｂｌｅ  Ｒｅａｄ−Ｏｎｌｙ  Ｍｅｍｏｒｙ、「ＰＲＯＭ」と略称する）、読み取り専用メモリー(Ｒｅａｄ−Ｏｎｌｙ  Ｍｅｍｏｒｙ、「ＲＯＭ」と略称する）、磁気メモリー、フラッシュメモリー、ディスク、またはＣＤ。
マルチメディアユニット１３０３は、スクリーンとオーディオユニットを含むことができる。そのうち、スクリーンは、タッチスクリーンであってもよく、オーディオユニットは、音響信号を出力および／または入力するために用いられる。例えば、オーディオユニットは、外部の音響信号を受信するための一つのマイクを備えることができ、受信された音響信号は、さらにメモリー１３０２に記憶され、または通信ユニット１３０５によって送信されてもよい。オーディオユニットは、音響信号を出力するための少なくとも一つのスピーカーをさらに備える。
Ｉ/Ｏインターフェース１３０４は、プロセッサー１３０１とその他のインターフェースモジュールとの間にインターフェースを提供し、上記のその他のインターフェースモジュールは、キーボード、マウス、ボタンなどであってもよく、これらのボタンは、仮想ボタンまたは物理ボタンであってもよい。通信ユニット１３０５は、当該装置１３００がその他の端末装置と有線通信または無線通信するために用いられる。無線通信としては、例えば、Ｗｉ−Ｆｉ、ブルートゥース、近距離無線通信（Ｎｅａｒ  Ｆｉｅｌｄ  Ｃｏｍｍｕｎｉｃａｔｉｏｎ、「ＮＦＣ」と略称する）、２Ｇ、３Ｇ、４Ｇ、またはそれらのうちの一種または多種の組合せであるので、対応する当該通信ユニット１３０５は、Ｗｉ−Ｆｉモジュール、ブルートゥースモジュール、ＮＦＣモジュールを含むことができる。
【０１４６】
一つの例示的な実施例において、装置１３００は、一つまたは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、「ＡＳＩＣ」と略称する）、デジタルシグナルプロセッサ（Ｄｉｇｉｔａｌ  Ｓｉｇｎａｌ  Ｐｒｏｃｅｓｓｏｒ、「ＤＳＰ」と略称する）、デジタル信号処理装置（Ｄｉｇｉｔａｌ  Ｓｉｇｎａｌ  Ｐｒｏｃｅｓｓｉｎｇ  Ｄｅｖｉｃｅ、「ＤＳＰＤ」と略称する）、プログラマブルロジックデバイス（Ｐｒｏｇｒａｍｍａｂｌｅ  Ｌｏｇｉｃ  Ｄｅｖｉｃｅ、「ＰＬＤ」と略称する）、フィールドプログラマブルスレッショルドアレイ（Ｆｉｅｌｄ  Ｐｒｏｇｒａｍｍａｂｌｅ  Ｇａｔｅ  Ａｒｒａｙ、「ＦＰＧＡ」と略称する）、コントローラ、マイクロコントローラ、マイクロプロセッサまたはその他の電子部品によって実現されることができ、上記の隣接セルを配置する方法を実行するために用いられる。
【０１４７】
本発明の実施例は、さらに一種のコンピュータ可読記憶媒体２を提供する。当該コンピュータ可読記憶媒体２は、一種の隣接セルを配置する方法を実行するための一つまたは複数のプログラムを含み、当該方法では、隣接セル情報を特定することと、端末に、存在する高度レベルまたは高度区間に対応する隣接セルを特定するように端末に指示するための前記隣接セル情報を送信することと、を含む。
【０１４８】
好ましくは、前記の前記隣接セル配置情報によって端末に隣接セル情報を送信することは、
アイドル状態にある前記端末が、存在する高度レベルまたは高度区間に対応する隣接セルを特定し、且つセル選択および／またはセル再選択を行うように、同報通信方式によって前記隣接セル情報を送信すること、及び／又は
専用シグナリングによって、前記端末が存在する高度レベルまたは高度区間に対応する被測定セル識別子を含む測定配置情報を含む前記隣接セル情報を、接続状態にある前記端末に送信することによって、接続状態にある前記端末は前記被測定セル識別子によって移動度測定を行い、且つセル切替えを行うこと、を含む。
【０１４９】
好ましくは、前記隣接セル情報は、対応する隣接セル情報を読み取るように前記端末に指示するための隣接セル情報選択閾値をも含む。
【０１５０】
好ましくは、前記隣接セル情報は、シーケンス形式で特徴付けられ、シーケンスにおける各要素は、異なる高度レベルまたは高度区間に対応する。
【０１５１】
好ましくは、前記端末が接続状態にある端末であると、前記方法では、前記の接続状態にある前記端末に前記測定配置情報を送信することの前に、
前記端末によって報告された、少なくとも前記端末の存在位置に対応する高度数値を含む位置情報を受信することと、
前記位置情報に基づいて前記端末の存在位置に対応する高度レベルまたは高度区間を特定し、且つ前記測定配置情報に含まれる被測定セル識別子を特定することと、をさらに含む。
【０１５２】
好ましくは、前記の隣接セル情報を特定することは、ネットワーク制御装置によって送信された隣接セル配置情報を受信し、且つ前記隣接セル配置情報によって前記隣接セル情報を特定することを含み、そのうち、前記隣接セル配置情報は、前記ネットワーク機器が異なる高度レベルまたは高度区間での対応する隣接セルを含む。
【０１５３】
好ましくは、前記方法では、前記のネットワーク制御装置によって送信された隣接セル配置情報を受信することの前に、
前記端末の位置情報および移動方向を取得し、前記端末の位置情報および移動方向と前記隣接セル配置情報によって、前記端末の移動方向に対応する目標隣接セルを特定し、且つ前記端末に前記目標隣接セルを含む隣接セル情報を送信することをさらに含む。
【０１５４】
本発明の実施例は、さらに一種のネットワーク機器を提供する。当該ネットワーク機器は、上記のコンピュータ可読記憶媒体１と、当該コンピュータ可読記憶媒体１におけるプログラムを実行するための一つまたは複数のプロセッサーと、を備える。
【０１５５】
本発明の実施例は、さらに一種のコンピュータ可読記憶媒体１を提供する。当該コンピュータ可読記憶媒体１は、一種の隣接セルを配置する方法を実行するための一つまたは複数のプログラムを含み、当該方法では、前記の隣接セル情報を特定することの前に、ネットワーク制御装置によって送信された隣接セル配置情報を受信することをさらに含み、前記隣接セル配置情報が、前記ネットワーク機器が異なる高度レベルまたは高度区間での対応する隣接セルを含み、前記の隣接セル情報を特定することは、前記隣接セル配置情報によって前記隣接セル情報を特定することを含む。
【０１５６】
好ましくは、前記の端末に前記隣接セル情報を送信することは、
アイドル状態にある前記端末が、存在する高度レベルまたは高度区間に対応する隣接セルを特定し、且つセル選択および／またはセル再選択を行うように、同報通信方式によって前記隣接セル情報を送信すること、及び／又は
専用シグナリングによって、前記端末が存在する高度レベルまたは高度区間に対応する被測定セル識別子を含む測定配置情報を含む前記隣接セル情報を、接続状態にある前記端末に送信することによって、接続状態にある前記端末は前記被測定セル識別子によって移動度測定を行い、且つセル切替えを実行すること、を含む。
【０１５７】
好ましくは、前記隣接セル配置情報は、シーケンス形式で特徴付けられ、シーケンスにおける各要素は、異なる高度レベルまたは高度区間に対応する。
【０１５８】
好ましくは、前記端末がアイドル状態にある端末であると、前記隣接セル情報は、対応する隣接セル情報を読み取るように前記端末に指示するための隣接セル情報選択閾値をも含む。
【０１５９】
好ましくは、前記端末が接続状態にある端末であると、前記方法では、前記の前記隣接セル配置情報によって前記隣接セル情報を特定することの前に、
前記端末によって報告された、少なくとも前記端末の存在位置に対応する高度数値を含む位置情報を受信することをさらに含み、
前記の前記隣接セル配置情報によって前記隣接セル情報を特定することは、前記位置情報に基づいて前記端末の存在位置に対応する高度レベルまたは高度区間を特定し、且つ前記測定配置情報に含まれる被測定セル識別子を特定し、前記被測定セル識別子によって前記隣接セル情報を得ることを含む。
【０１６０】
好ましくは、前記方法では、前記のネットワーク制御装置によって送信された隣接セル配置情報を受信することの前に、
前記端末の位置情報および移動方向を取得することと、
前記端末の位置情報および移動方向と前記隣接セル配置情報によって、前記端末の移動方向に対応する目標隣接セルを特定することと、をさらに含み、
前記の前記隣接セル配置情報によって端末に隣接セル情報を送信することは、前記端末に前記目標隣接セルを含む隣接セル情報を送信することを含む。
【０１６１】
本発明の実施例は、さらに一種のネットワーク制御装置を提供する。当該ネットワーク制御装置は、上記のコンピュータ可読記憶媒体２と、当該コンピュータ可読記憶媒体２におけるプログラムを実行するための一つまたは複数のプロセッサーと、を備える。
【０１６２】
本発明の実施例は、さらに一種のコンピュータ可読記憶媒体３を提供する。当該コンピュータ可読記憶媒体３は、一種の隣接セルを配置する方法を実行するための一つまたは複数のプログラムを含み、当該方法では、ネットワーク機器によって送信された隣接セル情報を受信することと、前記隣接セル情報によって前記端末の存在位置の高度数値に対応する隣接セルを特定することと、を含み、そのうち、前記隣接セル情報は、存在する高度レベルまたは高度区間に対応する隣接セルを特定するように前記端末に指示するためのものである。
【０１６３】
好ましくは、前記端末がアイドル状態にある端末であると、前記方法では、前記の前記隣接セル情報によって前記端末の存在位置の高度数値に対応する隣接セルを特定することの前に、前記端末の存在位置の高度数値に基づいて前記端末が存在する高度レベルまたは高度区間を特定することをさらに含み、前記の前記隣接セル情報によって前記端末の存在位置の高度数値に対応する隣接セルを特定することは、前記隣接セル情報と前記端末が存在する高度レベルまたは高度区間に基づいて、前記端末の存在位置の高度数値に対応する隣接セルを特定することを含む。
【０１６４】
好ましくは、前記隣接セル情報は、対応する隣接セル情報を読み取るように前記端末に指示するための隣接セル情報選択閾値をも含み、前記の前記端末が存在する高度レベルまたは高度区間と前記隣接セル情報に基づいて、前記端末の存在位置の高度数値に対応する隣接セルを特定することは、前記端末の存在位置の高度数値および前記隣接セル情報選択閾値に基づいて、端末が存在する高度レベルまたは高度区間を特定することと、前記ネットワーク機器によって送信された隣接セル情報における前記高度レベルまたは高度区間に対応する隣接セル情報を読み取ることと、を含む。
【０１６５】
好ましくは、前記の前記端末の存在位置の高度数値および前記隣接セル情報選択閾値に基づいて、端末が存在する高度レベルまたは高度区間を特定することは、前記端末の存在位置の高度数値と前記隣接セル情報選択閾値を比較し、前記高度数値が前記隣接セル情報選択閾値よりも小さいと、前記端末の存在位置が前記隣接セル情報選択閾値に対応する高度レベルまたは高度区間にあることを特定することを含む。
【０１６６】
好ましくは、前記端末が接続状態にある端末であると、前記隣接セル情報は、測定配置情報を含み、前記測定配置情報は、前記端末が存在する高度レベルまたは高度区間に対応する被測定セル識別子を含み、前記の前記ネットワーク機器によって送信された隣接セル情報を受信することは、前記ネットワーク機器が前記隣接セル配置情報に基づいて専用シグナリングによって送信した測定配置情報を受信することを含む。
【０１６７】
好ましくは、前記方法では、前記の前記ネットワーク機器によって送信された隣接セル情報を受信することの前に、
前記ネットワーク機器に、前記端末の少なくとも前記端末の存在位置の高度数値を含む位置情報を報告することで、前記ネットワーク機器は前記位置情報に基づいて、前記端末が存在する高度レベルまたは高度区間を特定し、且つ前記高度レベルまたは高度区間に対応する隣接セルを特定することをさらに含み、
前記の前記隣接セル情報によって前記端末の存在位置の高度数値に対応する隣接セルを特定することは、前記測定配置情報のうちの被測定セル識別子を取得することと、前記被測定セル識別子によって前記隣接セルを特定することと、を含む。
【０１６８】
本発明の実施例は、さらに一種の端末を提供する。当該端末は、上記のコンピュータ可読記憶媒体３と、当該コンピュータ可読記憶媒体３におけるプログラムを実行するための一つまたは複数のプロセッサーと、を備える。
【０１６９】
以上では、図面を結合して本発明の好ましい実施形態を詳細に記述しましたが、本発明は、上記実施形態における具体的な細部に限定されていなく、本発明の技術構想範囲内に本発明の技術方案に対して多種の簡単な変形を行うことができ、これらの簡単な変形は、いずれも本発明の保護範囲に含まれるべきである。
【０１７０】
なお、上記の具体的な実施形態において説明した各々の具体的な技術特徴は、矛盾がない場合、如何なる適切な方式で組み合わせることができ、不要な重複を避けるために、本発明では各種の使用可能な組合せ方式に対して別に説明しない。
【０１７１】
また、本発明の各種の異なる実施形態同士は、互いに任意に組み合わせることもでき、本発明の精神を違反しなければ、同様に本発明の開示内容と見なされるべきである。
【図１】
0006963628.tif 000002
【図２】
0006963628.tif 000003
【図３】
0006963628.tif 000004
【図４】
0006963628.tif 000005
【図５】
0006963628.tif 000006
【図６】
0006963628.tif 000007
【図７】
0006963628.tif 000008
【図８】
0006963628.tif 000009
【図９】
0006963628.tif 000010
【図１０】
0006963628.tif 000011
【図１１】
0006963628.tif 000012
【図１２】
0006963628.tif 000013
【図１３】
0006963628.tif 000014